(57)【特許請求の範囲】
【請求項１】
外周面に設けられた取付凹部に生地押さえを介してスクリーンを取着する円筒状のパイプの両端に取着するキャップにおいて、
前記パイプの両端に延設される生地押さえを収容する連通凹部を備え、前記連通凹部の周方向両側に庇部をそれぞれ形成し、前記パイプの左右両端に取着可能としたことを特徴とするキャップ。
【請求項２】
前記取付凹部には、前記生地押さえを嵌合する嵌合部を前記パイプの周方向中央から外して位置させたことを特徴とする請求項１記載のキャップ。
【請求項３】
前記取付凹部には、前記生地押さえを嵌合する嵌合部から遠くに位置する側辺から前記嵌合部に向かって延びる庇部を備えたことを特徴とする請求項１又は２記載のキャップ。
【請求項４】
前記キャップを前記パイプのいずれの端部に取着した場合にも、前記取付凹部の両側辺と前記連通凹部の側辺の位置が前記パイプの周方向に一致するようにしたことを特徴とする請求項１乃至３のいずれか１項に記載のキャップ。
【請求項５】
前記キャップには、前記パイプの内周面に沿って線対称状に嵌合する一対の嵌合片を設け、前記嵌合片を前記パイプの内周面に設けたリブと前記取付凹部の側辺との間に嵌合したことを特徴とする請求項１乃至４のいずれか１項に記載のキャップ。
【発明の詳細な説明】
【技術分野】
【０００１】
この発明は、ロールブラインドの巻取軸等のパイプの両端に取着されるキャップに関するものである。
【背景技術】
【０００２】
ロールブラインドは、取付面に回転可能に支持された巻取軸からスクリーンが吊下支持され、巻取軸の回転操作によりスクリーンを昇降させて採光量を適宜に調節可能としている。このようなロールブラインドではスクリーンを構成する生地の上端に生地押さえが縫製等により取着され、その生地押さえが巻取軸の外周面に設けた取付凹部に取着されている。
【０００３】
巻取軸はアルミ形材で形成され、両端部にはキャップが取着され、そのキャップを介して支持ブラケットに回転可能に支持される。
また、ロールブラインドはスクリーンの端縁とそのロールブラインドが吊下支持される窓枠等との間隔を狭くして外光のもれを少なくすることが望ましい。そこで、スクリーンの端縁を巻取軸両端のキャップ部分まで延長して、スクリーンの端縁と窓枠等との間隔を狭くするようにしたロールブラインドが提案されている。
【０００４】
特許文献１には、スクリーンを巻取軸に取着するための生地押えを巻取軸両端のキャップまで延ばして、スクリーンを巻取軸及びキャップの外周面上に巻き取るようにした生地取付装置が開示されている。
【０００５】
この取付装置では、円筒状のキャップの一側に突出される嵌合片を巻取軸の内周面に形成されるリブに嵌合して、キャップが巻取軸に対し相対回転不能に嵌合される。そして、キャップの外周面には、生地押さえを収容する凹部が形成され、その凹部には生地押さえを嵌合するための突条が形成されている。
【先行技術文献】
【特許文献】
【０００６】
【特許文献１】特開２０１０−２２２７９０号公報
【発明の概要】
【発明が解決しようとする課題】
【０００７】
特許文献１に開示された生地取付装置では、生地押さえを巻取軸に取着する突条が、生地押さえの取付凹部の中央部に位置しておらず、キャップに設けられた凹部に形成された突条もその凹部の中央部に位置していない。
【０００８】
従って、巻取軸の右端に取着するキャップを巻取軸の左端に取着すると、突条が連続しない。また、キャップの凹部には大きな指掛け凹部が非対称状に形成されている。
このため、巻取軸の両端に取着されるキャップは互換性がなく、右端用のキャップと左端用のキャップとを別部品として形成する必要がある。
【０００９】
従って、巻取軸へのキャップの取付作業が煩雑となるとともに、部品コストも上昇する。
この発明の目的は、パイプから延設される生地押さえを収容しながら、パイプの両端に取着可能としたキャップを提供することにある。
【課題を解決するための手段】
【００１０】
請求項１では、外周面に設けられた取付凹部に生地押さえを介してスクリーンを取着するパイプの両端に取着するキャップにおいて、前記パイプの両端に延設される生地押さえを収容する連通凹部を備え、前記連通凹部の周方向両側に庇部をそれぞれ形成し、前記パイプの左右両端に取着可能とした。
【００１１】
請求項２では、前記取付凹部には、前記生地押さえを嵌合する嵌合部を前記パイプの周方向中央から外して位置させた。
請求項３では、前記取付凹部には、前記嵌合部から遠くに位置する側辺から前記嵌合部に向かって延びる庇部を備えた。
【００１２】
請求項４では、前記キャップを前記パイプのいずれの端部に取着した場合にも、前記取付凹部の両側辺と前記連通凹部の側辺の位置が前記パイプの周方向に一致するようにした。
請求項５では、前記キャップには、前記パイプの内周面に沿って線対称状に嵌合する一対の嵌合片を設け、前記嵌合片を前記パイプの内周面に設けたリブと前記取付凹部の側辺との間に嵌合した。
【発明の効果】
【００１３】
本発明によれば、パイプから延設される生地押さえを収容しながら、パイプの両端に取着可能としたキャップを提供することができる。
【図面の簡単な説明】
【００１４】
【図１】一実施形態を示す斜視図である。
【図２】キャップを取着した巻取軸を示す斜視図である。
【図３】巻取軸とキャップと生地押さえを示す分解斜視図である。
【図４】生地押さえを取着した巻取軸を示す端面図である。
【図５】生地押さえを取着したキャップを示す端面図である。
【図６】生地押さえを取着したキャップを示す端面図である。
【図７】ロールブラインドを示す側面図である。
【発明を実施するための形態】
【００１５】
以下、この発明を具体化した一実施形態を図面に従って説明する。図７に示すロールブラインドは、取付ブラケット２１を介して取付面に固定されるフレーム２５の両端に支持ブラケット２２が取着され、その支持ブラケット２２間に巻取軸１が回転可能に支持されている。そして、巻取軸１からスクリーン２３が垂下され、そのスクリーン２３の下端にボトムレール２４が吊下支持されている。
【００１６】
前記巻取軸１の一端は操作装置を介して前記支持ブラケット２２に支持され、操作装置に設けられるプーリーから無端状のボールチェーン２６が垂下されている。そして、ボールチェーン２６の操作により、巻取軸１を正逆方向に回転操作可能となっている。
【００１７】
前記ボールチェーン２６を操作して、巻取軸１をスクリーン巻取り方向に回転させると、巻取軸１にスクリーン２３が巻き取られてスクリーン２３が上昇する。また、巻取軸１をスクリーン巻き戻し方向に回転させると、巻取軸１からスクリーン２３が巻き戻されてスクリーン２３が下降する。
【００１８】
図１〜図３に示す巻取軸１はアルミ形材で形成され、その両端に取着されるキャップ２を介して支持ブラケット２２に回転可能に支持される。そして、巻取軸１の外周面に公知の生地押さえ３でスクリーン２３の上端が取着され、巻取軸１の回転に基づいてスクリーンが巻取軸１に巻取られ、あるいは巻戻されて昇降される。
【００１９】
前記巻取軸１の外周面には、前記生地押さえ３を取着するための取付凹部４が形成されている。その取付凹部４には前記生地押さえ３を取着するための突条５が形成されている。そして、突条５にスクリーンの上端を取着した生地押さえ３が嵌着されて、スクリーンの上端が巻取軸に保持される。
【００２０】
前記キャップ２は、その外径が前記巻取軸１と同一の円筒状に形成され、その一側に巻取軸１の内周面に沿って巻取軸１に嵌合可能とした一対の嵌合片６がキャップ２の中心に対し線対称状に形成されている。
【００２１】
図３及び図４に示すように、前記巻取軸１の内周面には巻取軸１の中心に向かって突出するリブ７ａ，７ｂが２箇所に形成されている。リブ７ａと前記取付凹部４を構成する一方の側辺８ａとの間隔と、リブ７ｂと取付凹部４を構成する他方の側辺８ｂとの間隔は同一に形成され、リブ７ａ及び側辺８ａと、リブ７ｂ及び側辺８ｂとは巻取軸１の中心に対し線対称状に形成されている。
【００２２】
そして、リブ７ａと側辺８ａとの間と、リブ７ｂと側辺８ｂとの間に前記キャップ２の嵌合片６をそれぞれ嵌合可能となっている。このような構成により、リブ７ａ，７ｂと側辺８ａ，８ｂとは、巻取軸１の中心に対し線対称状に形成されている。
【００２３】
前記キャップ２の外周面には、連通凹部９が形成されている。その連通凹部９の周方向の長さＬ１（図５参照）は、前記取付凹部４の巻取軸１周方向の長さＬ２（図４参照）と同一長さに形成されている。また、連通凹部９の深さは、取付凹部４の深さと同一に形成されている。そして、前記嵌合片６を巻取軸１に嵌合すると、連通凹部９の底面１２及び側面１３が、取付凹部４の底面１４及び側面１５に連通するようになっている。
【００２４】
前記連通凹部９のキャップ２周方向両側には、庇部１０がそれぞれ形成されている。この庇部１０は、キャップ２を巻取軸１の端部に嵌合したとき、前記取付凹部４の一側に形成されている巻取軸１周方向の庇部１１に比して後退した位置まで突出する長さに形成されている。また、突条５に近い側の庇部１０と生地押さえ３との間の隙間を利用して生地押さえ３に指を掛けて、生地押さえ３を取付凹部４から取り外し可能となっている。従って、庇部１０と生地押さえ３との間の隙間が指掛け凹部１７となる。
【００２５】
なお、前記取付凹部４は、前記生地押さえ３を取着する第一の凹部４ａと、図示しない巻ずれ調整部材を取着するための第二の凹部４ｂとを備えている。そして、前記突条５と、第一の凹部４ａと第二の凹部４ｂとを隔てるリブ１６は、前記連通凹部９には設けられない。
【００２６】
次に、上記のように構成されたキャップ２の作用を説明する。
図５は、前記巻取軸１の右端に嵌合したキャップ２と生地押さえ３を示す。生地押さえ３はキャップ２の連通凹部９まで延設され、生地押さえ３の巻取軸１周方向の一端縁が連通凹部９の一方の庇部１０に近接し、他端縁が他方の庇部１０の下方に潜る状態となる。
【００２７】
図６は、前記巻取軸１の左端に嵌合したキャップ２と生地押さえ３を示す。生地押さえ３はキャップ２の連通凹部９まで延設され、図５と同様に、生地押さえ３の巻取軸１周方向の一端縁が連通凹部９の一方の庇部１０に近接し、他端縁が他方の庇部１０の下方に潜る状態となる。
【００２８】
例えば、巻取軸１の右端側に取着されているキャップ２を左端側に取着するには、右端側から取り外したキャップ２を左右方向に回転させて嵌合片６を巻取軸１側に向け、さらに前後方向に１８０度回転させて嵌合片６を巻取軸１に嵌合すると、図６に示す状態となる。従って、巻取軸１の左右端に取着するキャップ２を共通部品とすることができる。
【００２９】
上記のように構成されたロールブラインドの生地取付装置では、次に示す作用を得ることができる。
（１）生地押さえ３を巻取軸１両端に取着されるキャップ２まで延設して、スクリーンの幅をキャップ２の周面上まで拡大することができる。
（２）巻取軸１の両端に取着されるキャップ２を共通部品とすることができる。従って、巻取軸１にキャップ２を取着する組立作業を容易に行うことができる。
（３）巻取軸１の両端に取着されるキャップ２を共通部品として、部品コストを低減することができる。
【００３０】
上記実施形態は、以下の態様で実施してもよい。
・生地押さえを使用してスクリーンの下端が取着される円筒状のウェイトバーの両端に、上記実施形態に示すようなキャップを使用してもよい。
【符号の説明】
【００３１】
１…パイプ（巻取軸）、２…キャップ、３…生地押さえ、４…取付凹部、５…嵌合部（突条）、９…連通凹部。
【図１】
0005788226.tif 000002
【図２】
0005788226.tif 000003
【図３】
0005788226.tif 000004
【図４】
0005788226.tif 000005
【図５】
0005788226.tif 000006
【図６】
0005788226.tif 000007
【図７】
0005788226.tif 000008